(57)【特許請求の範囲】
【請求項１】
本体、リチウムイオン電池、導電ベース、制御器、光源アセンブリ及び端蓋を含み、導電ベース上は、リチウムイオン電池と組み合わされる正・負極ばねを有し、制御器は、制御器配線基板、マイコンを含み、制御器配線基板が導電ベース上に固定され、タクトスイッチと制御器配線基板上のマイコンとが電気的に接続され、前記端蓋は、一端の開口内に雌ねじを有し、他端の開口が操作口であり、導電ベースと雌ねじとが組み合わされて端蓋内に固定され、前記本体上の雄ねじと端蓋の雌ねじとを接続させるスイッチ及び警報器が一体化した照明器具であって、
警報器をさらに含み、前記警報器の外カバーの外表面は、外リング台を有し、前記端蓋の操作口端の内壁上は位置決め台を有し、警報器は、位置決め台と導電ベースとの間の端蓋のインナーチャンバ内に設置され、警報器の外カバーと端蓋のインナーチャンバとが摺動自在に組み合わされ、外リング台と位置決め台とが組み合わされて位置決めされ、警報器と制御器とが電気的に接続され、警報器の底部とタクトスイッチとを組み合わせ、警報器の頂部を操作端とすることを特徴とする、
スイッチ及び警報器が一体化した照明器具。
【請求項２】
導電装置をさらに含み、前記導電装置は、導電ばね、導電ばねスリーブ及びガイドベースを含み、導電ばねは、制御器配線基板上に固定され、導電ばねスリーブは、導電ばね上に嵌合され、導電ばねスリーブとガイドベース上のガイド孔とが摺動自在に組み合わされ、ガイドベースと制御器配線基板とが固着され、導電ばねスリーブと警報器の警報器配線基板とが電気的に接続されることを特徴とする請求項１に記載のスイッチ及び警報器が一体化した照明器具。
【請求項３】
前記ガイド孔内は内リング台を有し、前記導電ばねスリーブ上は、外リング縁を有し、外リング縁と内リング台とが組み合わされて位置決めされることを特徴とする請求項２に記載のスイッチ及び警報器が一体化した照明器具。
【発明の詳細な説明】
【技術分野】
【０００１】
本発明は、スイッチ及び警報器が一体化した照明器具に関し、特にリチウムイオン電池を応用した照明器具に関する。
【背景技術】
【０００２】
従来技術のリチウムイオン電池を応用した照明器具は、本体、リチウムイオン電池、導電ベース、制御器、光源アセンブリ及び端蓋を含み、前述の端蓋の一端開口内は、雌ねじを有し、他端の開口が操作口であり、導電ベースと雌ねじとを組み合わせて端蓋内に固定し、前述本体上の雄ねじと端蓋内のねじとを接続し、導電ベース上は、リチウムイオン電池と組み合わせる正・負極ばねを有し、前述の制御器は、制御器配線基板及びマイコンを含み、制御器配線基板が導電ベース上に固定され、タクトスイッチと、制御器配線基板上のマイコンとが電気的に接続され、リチウムイオン電池は一端が光源アセンブリと組み合わされ、他端が導電ベース上の正・負極ばねと組み合わされ、操作口上に設置された操作膜とタクトスイッチとを組み合わせる。操作する際、操作膜にタッチすると、タクトスイッチが信号を発信し、制御器が作動して光源アセンブリが発光し、光源アセンブリを連続的に操作して照明強度を変化させたり、光源アセンブリをオフしたりする。
【０００３】
しかし、従来のリチウムイオン電池を応用した照明器具には、照明器具としてしか使用できず、警報器として使用することができずに１つの機能しか有さないという問題が存在した。
【発明の概要】
【発明が解決しようとする課題】
【０００４】
本発明の目的は、照明スイッチ制御機能を有するだけでなく、警報機能も有するスイッチ及び警報器が一体化した照明器具を提供することにある。
即ち全天候型の救護に必要なツールである。特に、年寄りが昼間助けを求めて警報器を押すと、救急隊員は警報器の鳴った方向により速やかに被救護者の位置を判断し、被救護者を速やかに救護することができるため、貴重な時間を節約する効果がある。
【課題を解決するための手段】
【０００５】
本発明は次のように実現する。
スイッチ及び警報器が一体化した照明器具は、本体、リチウムイオン電池、導電ベース、制御器、光源アセンブリ及び端蓋を含み、導電ベース上は、リチウムイオン電池と組み合わされる正・負極ばねを有し、制御器は、制御器配線基板、マイコンを含み、制御器配線基板が導電ベース上に固定され、タクトスイッチと制御器配線基板上のマイコンとが電気的に接続され、前記端蓋は、一端の開口内に雌ねじを有し、他端の開口が操作口であり、導電ベースと雌ねじとが組み合わされて端蓋内に固定され、前記本体上の雄ねじと端蓋の雌ねじとを接続させ、その特徴として、警報器をさらに含み、前記警報器の外カバーの外表面は、外リング台を有し、前記端蓋の操作口端の内壁上は位置決め台を有し、警報器は、位置決め台と導電ベースとの間の端蓋のインナーチャンバ内に設置され、警報器の外カバーと端蓋のインナーチャンバとが摺動自在に組み合わされ、外リング台と位置決め台とが組み合わされて位置決めされ、警報器と制御器とが電気的に接続され、警報器の底部とタクトスイッチとを組み合わせ、警報器の頂部を操作端とする。
【０００６】
上述したスイッチ及び警報器が一体化した照明器具は、その特徴として、導電装置をさらに含み、前記導電装置は、導電ばね、導電ばねスリーブ及びガイドベースを含み、導電ばねは、制御器配線基板上に固定され、導電ばねスリーブは、導電ばね上に嵌合され、導電ばねスリーブとガイドベース上のガイド孔とが摺動自在に組み合わされ、ガイドベースと制御器配線基板とが固着され、導電ばねスリーブと警報器の警報器配線基板とが電気的に接続される。
【０００７】
上述したスイッチ及び警報器が一体化した照明器具は、その特徴として、前記ガイド孔内に内リング台を有し、前記導電ばねスリーブ上に外リング縁を有し、外リング縁と内リング台とが組み合わされて位置決めされる。
【０００８】
本発明のスイッチ及び警報器が一体化した照明器具は、このような構造を採用し、端蓋上の操作口を介して警報器を押圧し、警報器を下方へ移動させ、タクトスイッチ７をタッチし、警報器により光源体が異なる光源を選択したり、警報器により警報を鳴らしたりする。そのため、照明機能を有するだけでなく、警報機能も有するため便利に使用できる。
【０００９】
本発明の主な目的は、ＬＥＤランプを挿接する方向が制限されない二重回路のＬＥＤランプを提供することにある。
【００１０】
本発明のもう一つの目的は、少なくとも１つの二重回路のＬＥＤランプを含む二重回路のＬＥＤランプ群を提供することにある。
【００１１】
本発明のさらにもう一つの目的は、ＬＥＤランプと従来の蛍光ランプとを交換する際、従来の蛍光灯中に配置したアクチュエータを取り外す必要がない二重回路のＬＥＤランプを提供することにある。
【００１２】
従来技術の問題を解決するために採用する本発明の技術手段は、ＬＥＤランプ中に第１の整流回路を含み、その交流入力端のうちの一端がランプの第１の端接点に接続され、他端がランプの第２の端接点に接続される。第２の整流回路は、その交流入力端のうちの一端がランプの第１の端接点に接続され、他端がランプの第２の端接点に接続される。二重回路のＬＥＤランプが安定器、アクチュエータに結合された後、ＬＥＤランプ群と組み合わされる。
【００１３】
従来の製品と比べ、本発明は、二重回路のＬＥＤランプ製品を提供し、このＬＥＤランプは、新たに設計されたランプ群に挿接するときや、従来のＬＥＤランプ群に使用するときでもスムーズに点灯して使用することができ、ランプ群の制限を受けることがない。従来の蛍光灯ランプ（例えば、従来のＴ５蛍光灯ランプ）又は新たに設計されたＬＥＤランプ群であっても、本発明のＬＥＤランプを適用することができる。
【００１４】
また、本発明の二重回路ＬＥＤランプ設計により、ユーザはＬＥＤランプを従来の蛍光灯ランプへ取り付けるときに、従来の蛍光灯ランプ中に配置されたアクチュエータを取り外す必要がないため、使用が面倒でない。
【図面の簡単な説明】
【００１５】
【図１】本発明の断面図である。
【図２】図１の部分拡大図である。
【図３】本発明の警報器の断面図である。
【発明を実施するための形態】
【００１６】
本発明が採用する具体的な実施例を、以下の実施例及び添付した図面によりさらに詳細に説明する。
【００１７】
以下、図面と併せて本発明をより詳細に説明する。
【実施例】
【００１８】
図１、図２に示すように、本発明のスイッチ及び警報器が一体化した照明器具は、本体１、リチウムイオン電池２、導電ベース３、制御器４、光源アセンブリ５及び端蓋６を含み、導電ベース３上は、リチウムイオン電池２と組み合わされる正・負極ばね３１，３２を有し、制御器４は、制御器配線基板４１及びマイコン（図示せず）を含む。
制御器配線基板４１が導電ベース３上に固定され、タクトスイッチ７と制御器配線基板４１上のマイコンとが電気的に接続され、上述した端蓋６の一端開口内は雌ねじ６１を有し、他端が操作口６２であり、導電ベース３と端蓋６の雌ねじ６１とを組み合わせて端蓋６内に固定し、上述した本体１上の雄ねじ１１と、端蓋６の雌ねじ６１とを接続させる。
【００１９】
さらに警報器８を含み、上述した警報器８の外カバー８１の外表面は、外リング台８１１を有し、上述した端蓋６の操作口６２端の内壁上は位置決め台６３を有する。
警報器８は、位置決め台６３と導電ベース３との間の端蓋６のインナーチャンバ内に設置され、警報器８の外カバー８１と端蓋６のインナーチャンバとが摺動自在に組み合わされ、外リング台８１１と位置決め台６３とが組み合わされて位置決めされ、警報器８と制御器４とが電気的に接続され、警報器８の底部とタクトスイッチ７とを組み合わせ、警報器８の頂部を操作端とする。
【００２０】
２つの導電装置９をさらに含み、１つの導電装置９は、制御器４の正極電源端と警報器８の正極電源端とを連通させ、１つの導電装置９は、制御器４の負極電源端と警報器８の負極電源端とを連通させる。
【００２１】
上述した導電装置９は、導電ばね９１、導電ばねスリーブ９２及びガイドベース９３を含む。
【００２２】
導電ばね９１は、制御器配線基板４１上に固定され、導電ばねスリーブ９２は、導電ばね９１上に嵌合され、導電ばねスリーブ９２とガイドベース９３上のガイド孔９３１とが摺動自在に組み合わされ、ガイドベース９３と制御器配線基板４１とが固着され、導電ばねスリーブ９２と警報器８の警報器配線基板８２とが電気的に接続される。
【００２３】
使用する際、警報器８を押圧し、警報器８を下方へ移動させ、タクトスイッチ７をタッチし、照明機能又は警報器８を鳴らして助けを求めることを選択する。これと同時に導電ばね９１が圧縮され、導電装置９から手を離すと、導電ばね９１の作用下で復位し、導電ばね９１の作用により導電ばねスリーブ９２と警報器配線基板８２とが十分に接触されることを保証する。
【００２４】
図３に示すように（図２を併せて参照）、警報器配線基板８２が外カバー８１の底部に位置し、警報器配線基板８２上は電源正極接触点８２１、電源負極接触点８２２を有し、電源正極接触点８２１、電源負極接触点８２２は、それぞれ導電ばねスリーブ９２と組み合わされて導電される。
【００２５】
上述のガイド孔９３１内には、内リング台９３２を有し、上述の導電ばねスリーブ９２上には外リング縁９２１を有し、外リング縁９２１と内リング台９３２とを組み合わして位置決めする。
【符号の説明】
【００２６】
１      本体
２      リチウムイオン電池
３      導電ベース
４      制御器
５      光源アセンブリ
６      端蓋
７      タクトスイッチ
８      警報器
９      導電装置
１１    雄ねじ
３１    正極ばね
３２    負極ばね
４１    制御器配線基板
６１    雌ねじ
６２    操作口
６３    位置決め台
８１    外カバー
８２    警報器配線基板
９１    導電ばね
９２    導電ばねスリーブ
９３    ガイドベース
８１１  外リング台
８２１  電源正極接触点
８２２  電源負極接触点
９２１  外リング縁
９３１  ガイド孔
９３２  内リング台
【図１】
0005528639.tif 000002
【図２】
0005528639.tif 000003
【図３】
0005528639.tif 000004